(57)【特許請求の範囲】
【請求項１】
貯湯タンクと、
該貯湯タンクの湯水を加熱するタンク用加熱手段と、
前記貯湯タンクの湯水を導出すべく始端が該貯湯タンクに接続され、終端に給湯栓が接続された出湯管と、
前記貯湯タンクの湯切れを検出する湯切れ検出手段と、
前記貯湯タンクに給水すると共に前記出湯管に接続された給水管と、
該給水管の通水を検出する通水検出手段と、
前記出湯管における前記給水管との接続部より上流側に設けられて該出湯管の開度を変更する湯量可変弁と、
前記給水管における前記接続部より上流側に設けられて出湯管に給水する水量を変更する水量可変弁と、
前記接続部より下流側に設けられて前記湯量可変弁と前記水量可変弁とを経て混合された湯水の温度を検出する混合温度検出手段と、
前記接続部の下流側における前記出湯管の途中に設けられ、該出湯管を流通する湯水をバーナの燃焼により加熱する燃焼給湯器と、
目標給湯温度を設定する給湯温度設定手段と、
前記通水検出手段により通水が検出され、且つ、前記湯切れ検出手段により湯切れが検出されないときは、前記燃焼給湯器による加熱を禁止して、前記混合温度検出手段の検出温度が前記給湯温度設定手段による目標給湯温度となるように、前記湯量可変弁と水量可変弁とにより前記貯湯タンクから前記出湯管に供給される湯水と前記給水管から前記出湯管に供給される水との混合比を調節する混合温調制御を実行し、前記通水検出手段により通水が検出され、且つ、前記湯切れ検出手段により湯切れが検出されたときには、前記出湯管から前記目標給湯温度の湯が供給されるように、前記燃焼給湯器による加熱を行う加熱温調制御を実行する温調制御手段とを備えた給湯システムにおいて、
前記温調制御手段は、前記加熱温調制御の実行中に前記通水検出手段により通水が検出されず前記燃焼給湯器による加熱を停止させた後、当該停止時から所定時間が経過するまでの間に前記通水検出手段により通水が検出されて前記燃焼給湯器による加熱を再開したときには、前記湯量可変弁を閉弁させ且つ前記水量可変弁を開弁させて前記加熱温調制御を実行することを特徴とする給湯システム。
【発明の詳細な説明】
【技術分野】
【０００１】
本発明は、加熱された湯を貯める貯湯タンクの下流側にバーナを備える燃焼給湯器を直列に接続した給湯システムに関する。
【背景技術】
【０００２】
従来、タンク用加熱手段により加熱された湯を貯める貯湯タンクの下流側にバーナを備える燃焼給湯器を直列に接続した給湯システムが知られている（例えば、特許文献１参照）。
【０００３】
このように構成された給湯システムでは、貯湯タンクの湯温が所望の給湯温度（使用者により設定されている目標給湯温度）と同等かそれより高温である場合（湯切れが生じていない場合）には、燃焼給湯器を運転させずに、貯湯タンクからのみ給湯を行い、貯湯タンクの湯温が所望の給湯温度よりも低い場合（湯切れが生じている場合）には、貯湯タンクから導出された低温の湯水をその下流側で燃焼給湯器により加熱して供給する。
【０００４】
そして、この種の給湯システムにおいては、次のようにして所望の給湯温度を得るための温調制御が行われる。
【０００５】
即ち、貯湯タンクに湯切れが生じていない場合には、貯湯タンクから出湯管に供給される高温の湯と、出湯管に接続された給水管から供給される水との混合比を調節することによって、出湯管の先端に接続されたカラン等の給湯栓から目標給湯温度の湯が出湯されるように制御される（混合温調制御）。なお、前記混合比の調節は、貯湯タンクからの湯量を変更する湯量可変弁と給水管からの水量を変更する水量可変弁とで行われる。
【０００６】
また、貯湯タンクに湯切れが生じている場合には、その下流でカラン等の給湯栓から目標給湯温度の湯が出湯されるように燃焼給湯器による温調制御が行われる（加熱温調制御）。
【先行技術文献】
【特許文献】
【０００７】
【特許文献１】特開２００３−１４８８０４号公報
【発明の概要】
【発明が解決しようとする課題】
【０００８】
ところで、貯湯タンクに湯切れが生じており、燃焼給湯器による加熱により目標給湯温度での給湯が行われていた状態で給湯が停止され、給湯が停止された時点から比較的短い時間が経過した後に給湯が再開された場合には、再び貯湯タンク内の湯の温度を検出して混合温調制御と加熱温調制御との何れを実行するかを判断し、更に適切に温調制御を行うために湯量可変弁と水量可変弁との開度を調節しなければならず、そのタイムラグにより、一時的に目標給湯温度での給湯が行えない場合がある。
【０００９】
そこで、一般には、貯湯タンクに湯切れが生じており、燃焼給湯器による加熱により目標給湯温度での給湯が行われていた状態で給湯が停止された場合には、停止直前の状態を所定時間（例えば５〜８分間）維持して、短時間経過後の給湯再開に備えることが行われる。
【００１０】
しかし、本発明者は、貯湯タンクに湯切れが生じていて、燃焼給湯器による加熱温調制御を行っていた場合の給湯停止時に、上記のように停止直前の状態を前記所定時間維持していても、使用者が前記所定時間が経過するまでの間に給湯の再開を行ったときには、目標給湯温度よりも高い温度の湯が供給されて、使用者に不快感を与える場合があることを知見した。
【００１１】
即ち、貯湯タンクに湯切れが生じていた場合、給湯停止直前の状態においては貯湯タンクから導出される湯水の温度が低いために、前記湯量可変弁が開弁状態となっている。給湯が停止すると、停止直前の状態が維持されるが、その一方で、貯湯タンクが湯切れ状態となったことによりタンク用加熱手段により貯湯タンクの沸き上げ運転が行われる。このため、前記所定時間が経過するまでの間に、貯湯タンクの湯切れが解消される場合がある。
【００１２】
そしてこの場合には、貯湯タンクの湯切れが解消されているにもかかわらず、湯切れしていた給湯停止直前の状態（前記湯量可変弁が開弁状態）が前記所定時間が経過するまで維持されているので、前記所定時間内に給湯が再開されたとき貯湯タンクから高温の湯が供給され、一時的に目標給湯温度よりも高い温度の湯が供給される。
【００１３】
上記の点に鑑み、本発明は、燃焼給湯器の加熱温調制御による給湯停止から所定時間が経過するまでの間に給湯が再開されたときに、目標給湯温度よりも高い温度の湯が供給されることを防止した給湯システムを提供することを目的とする。
【課題を解決するための手段】
【００１４】
本発明は、貯湯タンクと、該貯湯タンクの湯水を加熱するタンク用加熱手段と、前記貯湯タンクの湯水を導出すべく始端が該貯湯タンクに接続され、終端に給湯栓が接続された出湯管と、前記貯湯タンクの湯切れを検出する湯切れ検出手段と、前記貯湯タンクに給水すると共に前記出湯管に接続された給水管と、該給水管の通水を検出する通水検出手段と、前記出湯管における前記給水管との接続部より上流側に設けられて該出湯管の開度を変更する湯量可変弁と、前記給水管における前記接続部より上流側に設けられて出湯管に給水する水量を変更する水量可変弁と、前記接続部より下流側に設けられて前記湯量可変弁と前記水量可変弁とを経て混合された湯水の温度を検出する混合温度検出手段と、前記接続部の下流側における前記出湯管の途中に設けられ、該出湯管を流通する湯水をバーナの燃焼により加熱する燃焼給湯器と、目標給湯温度を設定する給湯温度設定手段と、前記通水検出手段により通水が検出され、且つ、前記湯切れ検出手段により湯切れが検出されないときは、前記燃焼給湯器による加熱を禁止して、前記混合温度検出手段の検出温度が前記給湯温度設定手段による目標給湯温度となるように、前記湯量可変弁と水量可変弁とにより前記貯湯タンクから前記出湯管に供給される湯水と前記給水管から前記出湯管に供給される水との混合比を調節する混合温調制御を実行し、前記通水検出手段により通水が検出され、且つ、前記湯切れ検出手段により湯切れが検出されたときには、前記出湯管から前記目標給湯温度の湯が供給されるように、前記燃焼給湯器による加熱を行う加熱温調制御を実行する温調制御手段とを備えた給湯システムにおいて、前記温調制御手段は、前記加熱温調制御の実行中に前記通水検出手段により通水が検出されず前記燃焼給湯器による加熱を停止させた後、当該停止時から所定時間が経過するまでの間に前記通水検出手段により通水が検出されて前記燃焼給湯器による加熱を再開したときには、前記湯量可変弁を閉弁させ且つ前記水量可変弁を開弁させて前記加熱温調制御を実行することを特徴とする。
【００１５】
本発明によれば、前記貯湯タンクに湯切れが生じているために前記加熱温調制御を実行している際に、前記温調制御手段は、前記通水検出手段により通水が検出されなくなったとき、前記燃焼給湯器による加熱を停止させる。
【００１６】
その後、給湯が再開されて、前記通水検出手段により通水が検出されると、燃焼給湯器の加熱による加熱温調制御が実行される。そして、このときの給湯再開が、上記加熱の停止時から所定時間（例えば、５〜８分）が経過するまでの間に行われた場合には、前記湯量可変弁を閉弁させ且つ前記水量可変弁を開弁させて前記加熱温調制御を実行する。
【００１７】
これによれば、タンク用加熱手段の沸き上げ運転により前記所定時間内に貯湯タンクの湯切れが解消されていても、貯湯タンクから高温の湯が出湯管に供給されることはなく、給水管から供給される水を加熱することによる給湯が再開される。
【００１８】
従って、給湯停止後の前記所定時間内に給湯が再開されても、目標給湯温度よりも高い温度の湯が供給されることを確実に防止することができる。
【図面の簡単な説明】
【００１９】
【図１】本発明の一実施形態における給湯システムの構成図。
【図２】図１に示した給湯システムの作動を示すフローチャート。
【発明を実施するための形態】
【００２０】
本発明の実施の形態について、図面を参照して説明する。本実施形態の給湯システムは、図１に示すように、ヒートポンプユニット１が接続されたタンクユニット２に、更に瞬間加熱式の燃焼給湯器３を直列に接続することにより構成されている。
【００２１】
ヒートポンプユニット１は、圧縮機４、水熱交換器（凝縮器）５、膨張弁（減圧器）６、及び空気熱交換器（蒸発器）７を、冷媒循環路８により接続してなるヒートポンプ９を備えている。水熱交換器５は、後述する貯湯タンク１０の上部及び下部に接続されたタンク循環路１１と接続され、冷媒循環路８の冷媒（例えばＣＯ2）とタンク循環路１１の湯水とを熱交換させることによって、タンク循環路１１の湯水を加熱する。
【００２２】
タンク循環路１１には、貯湯タンク１０に貯められた湯水をタンク循環路１１に循環させるための循環ポンプ１２と、水熱交換器５から貯湯タンク１０に向かう湯水の温度を検出するサーミスタ１３と、貯湯タンク１０から水熱交換器５に向かう湯水の温度を検出するサーミスタ１４とが設けられている。
【００２３】
また、ヒートポンプユニット１は、マイクロコンピュータ等により構成されたヒートポンプコントローラ１５を備え、ヒートポンプコントローラ１５から出力される制御信号によって、ヒートポンプ９及び循環ポンプ１２の作動が制御される。
【００２４】
ヒートポンプコントローラ１５は、後述するタンクコントローラ１６と通信可能に接続され、タンクコントローラ１６から加熱指示信号を受信したときに、タンク循環路１１に設けられているサーミスタ１３，１４の検出温度に基づいて、循環ポンプ１２とヒートポンプ９を作動させ、貯湯タンク１０の湯水を所定の沸き上げ設定温度（例えば９０℃）に沸き上げる。
【００２５】
タンクユニット２は、湯水が充填された貯湯タンク１０と、マイクロコンピュータ等により構成されたタンクコントローラ１６とを備えている。貯湯タンク１０の上部には出湯管１７が接続されている。出湯管１７は、その始端が貯湯タンク１０に接続されて終端が図示しないカラン等の出湯栓に接続される。貯湯タンク１０の下部には給水管１８が接続されている。給水管１８は始端が水道に接続され、下流側が２つに分岐して一方の終端が貯湯タンク１０に接続されると共に、他方の終端が出湯管１７の途中に接続されている。
【００２６】
出湯管１７は給水管１８との接続箇所Ｘ（本発明の接続部に相当する）の下流からタンクユニット２の外部に延びて燃焼給湯器３の後述する給湯器回路１９を経た後、再びタンクユニット２の内部に延びるが、その途中には、燃焼給湯器３の給湯器回路１９の入口側と出口側とで連通させる出湯バイパス管２０が接続されている。
【００２７】
出湯バイパス管２０にはバイパス弁２１が設けられており、バイパス弁２１が閉弁されているとき、貯湯タンク１０からの湯水は燃焼給湯器３の給湯器回路１９を流れ、バイパス弁２１が開弁されているとき、貯湯タンク１０からの湯水は出湯バイパス管２０を流れてカラン等の出湯栓へ向かう。
【００２８】
出湯管１７と給水管１８との接続箇所Ｘの上流側には、出湯サーミスタ２２が設けられている。給水管１８には、その通水流量を検出する水量センサ２３（本発明の通水検出手段に相当する）と、逆止弁付きの減圧弁２４とが設けられている。出湯管１７との接続箇所Ｘに向かって延びる給水管１８には、入水サーミスタ２５が設けられている。なお、本発明における通水検出手段として、水量センサ２３に替えて水流スイッチを採用してもよい。
【００２９】
また、タンクユニット２には、貯湯タンク１０から出湯管１７に供給される湯水の流量を変更する湯量可変弁２６と、給水管１８から出湯管１７に供給される水の流量を変更する水量可変弁２７とが設けられている。
【００３０】
更に、給水管１８に設けられた出湯管１７と給水管１８との接続箇所Ｘと出湯バイパス管２０の上流端との間には混合サーミスタ２８（本発明の混合温度検出手段に相当する）が設けられ、出湯バイパス管２０の下流端と出湯管１７との接続箇所Ｙの下流側にはカラン等の出湯栓へ向かう湯水の温度を検出する給湯出口サーミスタ２９が設けられている。
【００３１】
貯湯タンク１０の上部位置には、貯湯タンク１０に貯められた湯水の温度を検出する貯湯サーミスタ３０（本発明の湯切れ検出手段に相当する）が設けられている。
【００３２】
タンクコントローラ１６は、貯湯サーミスタ３０、出湯サーミスタ２２、入水サーミスタ２５、混合サーミスタ２８、給湯出口サーミスタ２９、及びタンク循環路１１のサーミスタ１４により検出された温度と、水量センサ２３により検出された給水管１８の通水流量とに基づいて、湯量可変弁２６、水量可変弁２７、及びバイパス弁２１の作動を制御する。
【００３３】
また、タンクコントローラ１６には、使用者の操作に応じて、希望する給湯温度（出湯管１７の出口から供給される湯の温度）を設定するための温度スイッチ等の複数の操作スイッチ（図示しない）を備えたリモコン３１（本発明における給湯温度設定手段に相当する）が接続されている。
【００３４】
ここで、貯湯タンク１０内部に充填された湯水の状態を説明すれば、出湯管１７は貯湯タンク１０の上部に接続され、給水管１８は貯湯タンク１０の下部に接続されているため、貯湯タンク１０の湯水が給湯使用されると、出湯管１７から湯が導出されて貯湯タンク１０の湯が減少したぶん、貯湯タンク１０の下部の給水管１８から水が供給される。それに応じて、貯湯タンク１０内では、上部に高温の湯の層ができると共に下部に水の層ができる。
【００３５】
そして、貯湯タンク１０の上部の湯の層が減少して、水の層が貯湯タンク１０の上部に来ると、貯湯サーミスタ３０の検出温度がリモコン３１により設定された設定温度（目標給湯温度）以下となり、こうなった場合に湯切れ状態となる。貯湯タンク１０が湯切れ状態であるか否かの判断は、貯湯サーミスタ３０の検出温度が目標給湯温度付近に設定された湯切れ判定温度以下であるときに、貯湯タンク１０が湯切れ状態であると判断される。
【００３６】
タンクコントローラ１６は、貯湯サーミスタ３０の検出温度が目標給湯温度よりも高いとき（湯切れが生じていない状態）に、水量センサ２３により所定の下限流量以上の通水が検出されると、バイパス弁２１を開弁し、混合サーミスタ２８又は給湯出口サーミスタ２９の検出温度が目標温度となるように、湯量可変弁２６と水量可変弁２７の開度を調節して湯と水とを混合する混合温調制御を実行する。
【００３７】
一方、貯湯サーミスタ３０の検出温度が目標給湯温度以下であるとき（湯切れが生じている状態）に、水量センサ２３により下限水量以上の通水が検出されると、タンクコントローラ１６は、バイパス弁２１を閉弁する。これにより、タンクユニット２からの湯水は燃焼給湯器３の給湯器回路１９を流れ、燃焼給湯器３による加熱運転が行われる。
【００３８】
燃焼給湯器３は、瞬間加熱式として周知の構成のものを採用することができる。即ち、燃焼給湯器３は、出湯管１７に接続された給湯器回路１９（本発明においては、出湯管１７の一部を構成する）と、マイクロコンピュータ等により構成された給湯器コントローラ３２とを備えている。給湯器コントローラ３２は、タンクコントローラ１６と通信可能に接続されており、本実施形態においては、給湯器コントローラ３２とタンクコントローラ１６とにより、本発明の制御手段が構成されている。
【００３９】
給湯器回路１９には、熱交換器３３と、熱交換器３３を加熱するバーナ３４と、熱交換器３３をバイパスする給湯バイパス管３５とが設けられており、給湯器回路１９における給湯バイパス管３５の接続箇所Ｚの下流側には、給湯器回路１９から分岐して浴槽（図示しない）へ延びる湯張り管３６が接続されている。
【００４０】
また、給湯器回路１９には、熱交換器３３への湯水の流量と給湯バイパス管３５への湯水の流量との分配比を変更するバイパスサーボ３７と、燃焼給湯器３に供給される湯水の流量を調節する絞り弁である水量サーボ３８とが設けられている。
【００４１】
更に、給湯器回路１９には、熱交換器３３及び給湯バイパス管３５に供給される湯水の流量を検出する給湯器流量センサ３９と、給湯バイパス管３５の下流側に流れる湯の温度を検出する給湯器サーミスタ４０とが設けられている。
【００４２】
また、湯張り管３６には、湯張り管３６の通水流量を検出する湯張り流量センサ４１と、湯張り管３６を開閉する湯張り弁４２とが設けられている。
【００４３】
そして、給湯器コントローラ３２には、給湯器サーミスタ４０による温度検出信号と、給湯器流量センサ３９による通水流量の検出信号と、湯張り流量センサ４１による通水流量の検出信号とが入力される。また、給湯器コントローラ３２から出力される制御信号によって、バイパスサーボ３７、水量サーボ３８、バーナ３４、及び湯張り弁４２の各作動が制御される。
【００４４】
給湯器コントローラ３２は、タンクコントローラ１６から加熱許可を指示する信号を受信したときに加熱許可状態となる。そして、給湯器流量センサ３９により所定の下限流量以上の通水が検出されているときに、給湯器サーミスタ４０の検出温度が目標給湯温度となるように、バーナ３４の燃焼量を制御する加熱温調制御を実行する。
【００４５】
燃焼給湯器３において給湯器コントローラ３２による加熱温調制御が行われるとき、タンクコントローラ１６は、湯量可変弁２６と水量可変弁２７とにより貯湯タンク１０からの湯水と給水管１８からの水との混合比を調節し、混合サーミスタ２８の検出温度が燃焼給湯器３の下限能力での燃焼運転による加熱温度を上回らない温度まで貯湯タンク１０からの湯水の温度を低下させる。
【００４６】
また、タンクコントローラ１６から加熱禁止を指示する信号を受信したときに加熱禁止状態となり、加熱温調制御の実行が禁止される。
【００４７】
更に、給湯器コントローラ３２は、浴槽（図示しない）に所定量の湯を供給する湯張り運転を行なうときには、湯張り弁４２を開弁して、湯張り流量センサ４１により検出される浴槽への湯の供給量を累積する。
【００４８】
そして、浴槽への湯の供給量の累積値が前記所定量に達したときに、湯張り弁４２を閉弁して湯張り運転を終了する。湯張り弁４２を閉弁するときには、給湯器コントローラ３２は、水量サーボ３８を絞り動作させ、これによって給湯器回路１９から湯張り管３６へ向かう水圧を低下させてから湯張り弁４２を閉弁させる。こうすることで、湯張り弁４２の閉弁に伴う衝撃音等の発生を防止している。
【００４９】
ここで、本発明の制御手段であるタンクコントローラ１６及び給湯器コントローラ３２による本発明の要旨に係る作動について図２のフローチャートを参照して説明する。
【００５０】
図２のＳＴＥＰ１でタンクユニット２の電源がＯＮされてＳＴＥＰ２に進むと、タンクコントローラ１６は、バイパス弁２１を開弁して水量センサ２３により下限流量以上の通水が検出される通水状態となるのを待つ。本実施形態では、水量センサ２３の検出水量が２．７リットル／分以上のとき通水状態であると判断している。そして、通水状態となったとき（即ち使用者によって給湯が開始されたとき）にＳＴＥＰ２からＳＴＥＰ３に進む。
【００５１】
ＳＴＥＰ３で、タンクコントローラ１６は、貯湯サーミスタ３０の検出温度が設定温度（目標給湯温度）以下であることにより貯湯タンク１０が湯切れ状態であるか否かを判断する。そして、湯切れ状態でないときにはＳＴＥＰ４に進み、湯切れ状態であるときはＳＴＥＰ８に進む。
【００５２】
ＳＴＥＰ４〜ＳＴＥＰ６は、混合温調制御を実行するときの処理である。即ち、タンクコントローラ１６は、ＳＴＥＰ４でバイパス弁２１を開弁させてから給湯器コントローラ３２に対して加熱を禁止する信号を送信する。これにより、給湯器コントローラ３２は、燃焼給湯器３においてバーナ３４の燃焼運転を行わない加熱停止状態とする。
【００５３】
続くＳＴＥＰ５で、タンクコントローラ１６は、湯量可変弁２６と水量可変弁２７の開度を調整して、基本的には出湯管１７の終端（カラン等の給湯栓）からの湯の温度が目標給湯温度になるように制御する（混合温調制御）。
【００５４】
そして、タンクコントローラ１６は、ＳＴＥＰ６で、水量センサ２３の検出水量が下限流量未満（好ましくは、下限流量よりも低い値に設定された水量）となる止水状態になるまで混合温調制御を継続して行い、止水した場合には給湯が停止されたとしてＳＴＥＰ７で現時点の湯量可変弁２６と水量可変弁２７との開度を記憶してＳＴＥＰ２へ戻る。なお、本実施形態では、水量センサ２３の検出水量が２．０リットル／分未満のとき止水状態となって給湯が停止したと判断している。
【００５５】
ＳＴＥＰ８〜ＳＴＥＰ１５は、加熱温調制御を実行するときの処理である。ＳＴＥＰ８で、タンクコントローラ１６は、バイパス弁２１を閉弁させてから給湯器コントローラ３２に対して加熱を許可する信号を送信する。これにより、給湯器コントローラ３２は水量サーボ３８を開放させ、貯湯タンク１０から導出された湯水を、燃焼給湯器３の給湯器回路１９を流通する状態にして加熱許可状態となる。
【００５６】
そして、ＳＴＥＰ９へ進んで、給湯器コントローラ３２は、給湯器サーミスタ４０の検出温度が目標給湯温度となるように、バーナ３４の燃焼量を制御する（加熱温調制御）。そして、ＳＴＥＰ１０へ進み、止水状態（給湯停止）になるまで加熱温調制御を継続させる。
【００５７】
その後、ＳＴＥＰ１０において止水状態が検出されると、ＳＴＥＰ１１へ進み、タンクコントローラ１６は、湯量可変弁２６を閉弁させると共に水量可変弁２７を開弁させる。続くＳＴＥＰ１２においては、８分（本発明における所定時間に相当し、出湯管１７の全長等に応じて定められる）経過するまでこの状態を維持する。そして、ＳＴＥＰ１３で、タンクコントローラ１６は、水量センサ２３により下限流量以上の通水が検出される通水状態となる（給湯が再開される）のを待つ。
【００５８】
なお、本実施形態においては、ＳＴＥＰ１２における機能として、タンクコントローラ１６がタイマ等の計時手段を機能的に備えている。そして、この計時手段に所定時間（本実施形態においては８分）をセットして計時を開始し、計時手段がタイムアップするまでは、湯量可変弁２６の閉弁状態と水量可変弁２７の開弁状態を維持させるようになっていいる。
【００５９】
ＳＴＥＰ１３で、通水が検出され給湯が再開されると、ＳＴＥＰ１４へ進み、給湯器コントローラ３２は、ＳＴＥＰ１５で止水状態（給湯停止）になるまで加熱温調制御を継続させる。このとき、ＳＴＥＰ１１において湯量可変弁２６を閉弁させ水量可変弁２７を開弁させた状態が維持されるので、８分以内に給湯が再開されたときには、給水管１８から供給された水を燃焼給湯器３により加熱することにより得られる湯が供給される。
【００６０】
これにより、ＳＴＥＰ１０以降８分が経過するまでに、ヒートポンプ９の作動によって貯湯タンク１０の湯切れが解消しても、貯湯タンク１０からの導出された湯が給湯器回路１９を流れて一時的に加熱温調制御が不正確となることが防止でき、目標給湯温度よりも高い温度の湯が供給されることを確実に防止することができる。
【００６１】
そして、ＳＴＥＰ１５で止水状態（給湯停止）が検出されて、ＳＴＥＰ１２で８分経過した後には、ＳＴＥＰ１６へ進む。ＳＴＥＰ１６では、タンクコントローラ１６は、湯量可変弁２６と水量可変弁２７とを何れも半開状態とし、これによって、混合温調制御と加熱温調制御との何れも選択可能となる状態としてＳＴＥＰ２へ戻る。ＳＴＥＰ１６へ進んだ場合には、混合温調制御又は加熱温調制御により目標給湯温度による給湯が行われるので、目標給湯温度よりも高い温度の湯が供給されることが防止される。
【００６２】
なお、本実施形態では、湯量可変弁２６と水量可変弁２７とが別体のものを挙げたが、湯量可変弁２６と水量可変弁２７とが内蔵されて互いに連動する弁装置を出湯管１７と給水管１８との接続箇所Ｘに設けてもよい。
【００６３】
また、本実施形態では、燃焼給湯器３をバイパスする出湯バイパス管２０と出湯バイパス管２０を開閉するバイパス弁２１を備えた給湯システムを示したが、出湯バイパス管及びこれを開閉するバイパス弁を備えていない給湯システムに対しても、本発明を適用してその効果を得ることができる。
【００６４】
また、本実施形態では、湯張り管１８と湯張り弁１９を備えた給湯システムを示したが、湯張り管を備えずにカラン等の出湯栓からのみ給湯を行うようにしたものでも本発明の適用が可能である。
【００６５】
また、本実施の形態では、貯湯タンク１０に貯める湯を生成するためのタンク用加熱手段としてヒートポンプ９を採用した給湯システムを示したが、これに限るものではなく、例えば、ソーラーシステム等の他の加熱手段を用いてもよい。
【符号の説明】
【００６６】
３…燃焼給湯器、９…ヒートポンプ（タンク用加熱手段）、１０…貯湯タンク、１６…タンクコントローラ（温調制御手段）、１７…出湯管、１８…給水管、Ｘ…接続箇所（接続部）、２３…水量センサ（水量検出手段）、２６…湯量可変弁、２７…水量可変弁、２８…混合サーミスタ（混合温度検出手段）、３０…貯湯サーミスタ（湯切れ検出手段）、３１…リモコン（給湯温度設定手段）、３２…給湯器コントローラ（温調制御手段）。
【図１】
0005379083.tif 000002
【図２】
0005379083.tif 000003